(57)【要約】      （修正有）【課題】少ない部品点数により簡単な構成で、写真や絵画、或いは鏡等を表示する額縁の裏板に設けたスタンドの開脚角度を自由角度で固定状態にすることが可能であり、壁面等にも吊るした状態にすることができる額縁の自在開脚スタンドを提供する。【解決手段】額縁１の裏板３にネジで着脱可能に固定した軸受部材５の端部に第１の軸受穴６ａ、６ｂを形成する一方、軸受部材の両側にて開脚するスタンド２の端部に第２の軸受穴１２ａ、１２ｂを形成し、同軸に並べた第１の軸受穴と第２の軸受穴に、弾性を有するパイプの一側の長手方向に隙間を形成してなる軸部材１３を圧縮状態で嵌合することによって軸部材を外径方向へ拡径する弾性力により、軸受部材に対して開脚したスタンドを自由角度で固定状態に止めるようにした。【選択図】図１
2016059539.tif 000002
【特許請求の範囲】
【請求項１】
額縁の裏板にネジで着脱可能に固定した軸受部材の端部に第1の軸受穴を形成する一方、軸受部材の両側にて開脚するスタンドの端部に第２の軸受穴を形成し、同軸に並べた第1の軸受穴と第２の軸受穴に、弾性を有するパイプの一側の長手方向に隙間を形成してなる軸部材を圧縮状態で嵌合することによって軸部材を外径方向へ拡径する弾性力により、軸受部材に対して開脚したスタンドを自由角度で固定状態にすることを特徴とする額縁の自在開脚スタンド。
【請求項２】
額縁の裏板に形成したテーパ形状の穴部に皿ネジの頭部を嵌合した状態で挿通したネジ部を額縁の裏板の裏側に向けて突出させ、この皿ネジのネジ部を軸受部材の穴部に挿通してネジ部をナットで締結するようにしたことを特徴とする請求項１記載の額縁の自在開脚スタンド。
【請求項３】
スタンドの先端付近にはフック掛け用の穴部が形成され、スタンドを額縁の裏板に固定した軸受部材から起こして、軸受部材の反対方向へ伸ばしたとき、フック掛け用の穴部が額縁から外方の位置へ突出するように、額縁の裏板に固定する軸受部材の位置決めがなされることを特徴とする請求項１又は２記載の額縁の自在開脚スタンド。
【請求項４】
軸受部材における額縁の裏板側には突起が形成され、該突起が額縁の裏板に形成された穴部に嵌合されることによって軸受部材の位置決めがなされることを特徴とする請求項１、２又は３記載の額縁の自在開脚スタンド。
【発明の詳細な説明】
【技術分野】
【０００１】
本発明は、写真や絵画、或いは鏡等を表示する額縁を机上等に立てるようにしたスタンドの開脚角度を自由角度で固定状態にし、壁面等にも吊り下げた状態にすることができる額縁の自在開脚スタンドに関する。
【背景技術】
【０００２】
従来、上記のように、写真や絵画、或いは鏡等を表示する額縁を机上等に立てる構成としては、特許文献１の図５に示すように、額縁３３の裏板３０に設けた脚保持体３２に脚部３１を回動自在に取り付けた構成が一般的である（図７参照）。
【０００３】
ところが、上記の構成における脚部３１は、開脚角度が限られた範囲に制限されるため、額縁３３のスタンド状態が極めて不安定なものになるという欠点があった。
【０００４】
特許文献１では、上記の欠点を解消するために、脚部の回転軸は角型断面の角柱軸で構成し、この角柱軸を保持円盤の両側に設けられたＵ字形の軸承部で支承すると共に、角柱軸をバネ状受部で弾性的に支持することにより、角柱軸の角型断面で脚部の開脚角度を段階的に規制した状態で立てる構成としている。
【０００５】
ところが、上記の特許文献１の構成において、脚部は開脚角度を段階的に変化させるものであって、自由角度で変化するものではなく、Ｕ字形の軸承部、角柱軸、バネ状受部等のように部品点数が数多く必要であるという欠点がある。
【０００６】
さらに、上記の特許文献１の他にも、種々の額縁用のスタンドが開発されているが、いずれの構造も額縁の裏板に設けられる脚部が任意の自由な角度に固定されるものではないため、スタンドの開脚状態が不安定であって、立てた状態の額縁が容易に倒れてしまうという欠点があった。
【先行技術文献】
【特許文献】
【０００７】
【特許文献１】実開昭６２−１５２７２号公報
【発明の概要】
【発明が解決しようとする課題】
【０００８】
本発明は、上記の事情に鑑みてなされたものであり、少ない部品点数により簡単な構成で、写真や絵画、或いは鏡等を表示する額縁の裏板に設けたスタンドの開脚角度を自由角度で固定状態にすることが可能であり、壁面等にも吊るした状態にすることができる額縁の自在開脚スタンドを提供することを目的とする。
【課題を解決するための手段】
【０００９】
上記の問題を解決するために、本発明における請求項１の額縁の自在開脚スタンドは、額縁の裏板にネジで着脱可能に固定した軸受部材の端部に第1の軸受穴を形成する一方、軸受部材の両側にて開脚するスタンドの端部に第２の軸受穴を形成し、同軸に並べた第1の軸受穴と第２の軸受穴に、弾性を有するパイプの一側の長手方向に隙間を形成してなる軸部材を圧縮状態で嵌合することによって軸部材を外径方向へ拡径する弾性力により、軸受部材に対して開脚したスタンドを自由角度で固定状態にすることを特徴とする。
【００１０】
また、本発明における請求項２の額縁の自在開脚スタンドは、請求項１において、額縁の裏板に形成したテーパ形状の穴部に皿ネジの頭部を嵌合した状態で挿通したネジ部を額縁の裏板の裏側に向けて突出させ、この皿ネジのネジ部を軸受部材の穴部に挿通してネジ部をナットで締結するようにしたことを特徴とする。
【００１１】
また、本発明における請求項３の額縁の自在開脚スタンドは、請求項１又は２において、スタンドの先端付近にはフック掛け用の穴部が形成され、スタンドを額縁の裏板に固定した軸受部材から起こして、軸受部材の反対方向へ伸ばしたとき、フック掛け用の穴部が額縁から外方の位置へ突出するように、額縁の裏板に固定する軸受部材の位置決めがなされることを特徴とする。
【００１２】
さらに、本発明における請求項４の額縁の自在開脚スタンドは、請求項１、２又は３において、軸受部材における額縁の裏板側には突起が形成され、該突起が額縁の裏板に形成された穴部に嵌合されることによって軸受部材の位置決めがなされることを特徴とする。
【発明の効果】
【００１３】
本発明による額縁の自在開脚スタンドは、額縁の裏板にネジで着脱可能に固定した軸受部材と、軸受部材の両側にて開脚するスタンドと、軸受部材にスタンドを回動自在に連結する軸部材とから構成されたものであり、少ない部品数で容易に構成することが可能である。
【００１４】
しかも、本発明において、軸部材は、弾性を有するパイプの一側の長手方向に隙間を形成した構成とし、この軸部材を軸受部材とスタンドの軸穴に圧縮状態で嵌合することによって、各軸穴内で軸部材を外径方向へ拡径する弾性力を発揮させ、軸穴に対する摩擦力を増加させることにより、軸受部材に対して開脚したスタンドを自由角度で固定状態にすることが可能となる。
【００１５】
また、本発明において、額縁の裏板に形成したテーパ形状の穴部に皿ネジの頭部を嵌合した状態で挿通したネジ部を額縁の裏板の裏側に向けて突出させ、この皿ネジのネジ部を軸受部材の穴部に挿通してネジ部をナットで締結する簡単な構成によって、額縁の裏板に軸受部材を着脱自在に取り付けることが可能となる。
【００１６】
また、本発明において、スタンドの先端付近にフック掛け用の穴部が形成され、スタンドを額縁の裏板に固定した軸受部材から起こして、軸受部材の反対方向へ伸ばしたとき、フック掛け用の穴部が額縁から外方の位置へ突出するように、額縁の裏板に固定する軸受部材の位置決めがなされる構成により、壁面等に取り付けたフックにスタンドの穴部をかけることによって、額縁を利便に吊り下げることが可能となる。
【００１７】
さらに、本発明において、軸受部材における額縁の裏板側に突起が形成され、この突起が額縁の裏板に形成された穴部に嵌合されることによって軸受部材の位置決めがなされる構成とすることにより、額縁の外形に応じてスタンドを立てる方向を容易に変えることが可能となる。
【図面の簡単な説明】
【００１８】
【図１】本発明の実施例に係る額縁のスタンドを立てた状態で背面側から見た斜視図である。
【図２】（ａ）は本発明の実施例における額縁のスタンドを分解した斜視図、（ｂ）はスタンドを組み立てた状態を示す斜視図である。
【図３】（ａ）〜(ｄ)は、本発明の実施例における額縁のスタンドに関する断面図である。
【図４】本発明の実施例における額縁のスタンドを内側に倒した状態を示す背面図である。
【図５】本発明の実施例における額縁のスタンドを外側に倒した状態を示す背面図である。
【図６】本発明の実施例における額縁のスタンドの取付角度を変えて額縁の長手方向に内側に倒した状態を示す背面図である。
【図７】従来の額縁に取り付けた脚部を示す額縁の背面状態を示す斜視図である。
【発明を実施するための形態】
【００１９】
以下、本発明の実施例について図面を参照しながら説明する。
【実施例】
【００２０】
図１又は図２（ａ）、（ｂ）に示すように、本発明による額縁１のスタンド２は、額縁１の裏板３にネジ４で着脱可能に固定した軸受部材５の端部に第1の軸受穴６ａ、６ｂを形成する一方、軸受部材５の両側にて開脚するスタンド２の端部に第２の軸受穴１２ａ、１２ｂを形成する。また、同軸に並べた第1の軸受穴６ａ、６ｂと第２の軸受穴１２ａ、１２ｂに、弾性を有するパイプの一側の長手方向に隙間１３ａを形成してなる軸部材１３を圧縮状態で嵌合することによって、軸部材１３を外径方向へ拡径する弾性力により、軸受部材１３に対して開脚したスタンド２を自由角度で固定状態に止めるようにしている。
【００２１】
このような本実施例について詳細に述べると、図１又は図２に示すように、額縁１の裏板３の中心に軸受部材５をネジ４で着脱可能に固定する。この軸受部材５は、図２(ａ)に示すように、平板形状の一側の端部に沿って第1の軸受穴６ａ、６ｂが左右に分離して形成されると共に、軸受部材５の他側の端部が円弧に形成され、この円弧形の面内に円形溝７が形成されている。
【００２２】
また、円形溝７は、図２（ａ）又は図３（ａ）に示すように、円形溝７の底部８が額縁１の裏板３に対面して接触する円形の板状に形成され、この底部８の中心には貫通穴９が形成されると共に、貫通穴９に後述するネジ４が挿通される。また、ネジ４は円形溝７内から背面側へ突出して外形が六角形で形成されたナット１０で締結されるようにしている。
【００２３】
一方、図２（ａ）に示すように、上記の軸受部材５の両側にて開脚するスタンド２の端部に、上記の軸受部材５の両側を挟持するように形成した一対の挟持部１１ａ、１１ｂが設けられ、これらの左右の挟持部１１ａ、１１ｂに第２の軸受穴１２ａ、１２ｂが形成されている。
【００２４】
そして、図２（ｂ）に示すように、上記のスタンド２の左右の挟持部１１ａ、１１ｂの間に軸受部材５の端部を挿着し、左右の第1の軸受穴６ａ、６ｂと第２の軸受穴１２ａ、１２ｂとを同軸に並べて、夫々の軸穴に軸部材１３を圧入する。
【００２５】
この軸部材１３は、左右の第1の軸受穴６ａ、６ｂと第２の軸受穴１２ａ、１２ｂの内径よりもやや大径の鋼製パイプを用い、その一側に長手方向に沿って微小の隙間１３ａを形成してある。この軸部材１３を軸受部材５の第1の軸受穴６ａ、６ｂとスタンド２の第２の軸受穴１２ａ、１２ｂに圧入したとき、隙間１３ａが圧縮変形されることにより、軸部材１３の外径方向へ拡径する弾性力を発揮した挿着状態となる。
【００２６】
従って、上記の構成により、軸部材１３を外径方向へ拡径する弾性力を発揮させ、軸穴に対する摩擦力を増加させることにより、軸受部材５に対して開脚したスタンド２を任意の自由角度で固定状態に止めることが可能となる。
【００２７】
一方、図３（ａ）に示すように、額縁１の裏板３に形成した皿形状の穴部１４に皿形状の頭部４ａを有するネジ４を挿通して、ネジ４の頭部４ａを皿形状の穴部１４に嵌合し、このネジ４のネジ部４ｂを額縁１の裏板３の裏側に向けて突出させると共に、ネジ部４ｂを軸受部材５の貫通穴９に挿通してナット１０で締結する。
【００２８】
さらに、上記のように、軸受部材５を額縁１の裏板３に取り付ける際、軸受部材５における額縁１の裏板３側に突起１６を形成し、この突起１６を額縁１の裏板３に形成した係止穴１７に嵌合する構成とする。即ち、図４、図５、図6に示すように、ネジ部４に対して直角に位置する係止穴１７a、１７ｂを形成し、軸受部材５の取付角度を変えることにより、軸受部材５の突起１６を係止穴１７a、１７ｂのいずれかに係止することによって軸受部材５の位置決めを行う。
【００２９】
また、スタンド２の左右の挟持部１１ａ、１１ｂ間には、軸受部材５を収納して折り畳むことができるように、軸受部材５の円弧形状５ａに対応した円弧形凹部２ａが形成されている。このような構成により、図４に示すように、スタンド２を額縁１の裏板３に固定した軸受部材５の両側に折り畳んだ際、軸受部材５の両側を挟むスタンド２の両挟持部１１a、１１ｂと軸受部材５とが、額縁１の裏板３に同一の平面状態で内側へ折り畳まれた状態で倒伏する。
【００３０】
このようにスタンド２を内側へ折り畳んだとき、スタンド２の長さを最小にすることができるため、図4に示すように、横方向に長い方形の額縁１の裏板３の中心にネジ４を取付ける穴部１４を形成した状態でスタンド２を額縁１内に収納したとき、このスタンド２を図５に示すように外側へ起こして倒伏すると、スタンド２は端部が額縁１の外方へ突出した状態となる。
【００３１】
このような構成において、スタンド２の先端付近にフック掛け用の穴部１５を形成する。また、上記のように、スタンド２を軸受部材５の外側へ起こして、スタンド２を最長の長さに伸びた状態にすることにより、フック掛け用の穴部１５が額縁１から外方へ突出した状態となり、穴部１５に壁等に設けたフック（不図示）を掛けることにより、額縁１をフックに吊り下げた状態で使用することが可能となる。
【００３２】
さらに、図6に示すように、スタンド２が長方形の額縁１の長手方向を向くように軸受部材５の取付角度を変えた状態にし、軸受部材５の突起１６を係止穴１７ｂに係止することによって位置決めをすることができ、額縁１の外形に応じてスタンド２を立てる方向を変えることが可能となる。
【産業上の利用可能性】
【００３３】
本発明における額縁の自在開脚スタンドは、少ない部品点数により簡単な構成で、写真や絵画、或いは鏡等を表示する額縁の裏板に設けたスタンドの開脚角度を自由角度で固定状態にすることが可能であり、壁面等にも吊るした状態にすることができる額縁の自在開脚スタンドとして利用可能である。
【符号の説明】
【００３４】
１  額縁
２  スタンド
２ａ  円弧形凹部
３  裏板
４  ネジ（皿ネジ）
４ａ  頭部
４ｂ  ネジ部
５  軸受部材
６ａ、６ｂ  第1の軸受穴
７  円形溝
８  底部
９  貫通穴
１０  ナット
１１ａ、１１ｂ  左右の挟持部
１２ａ、１２ｂ  第２の軸受穴
１３  軸部材
１３ａ  隙間
１４  皿形状の穴部
１５  フック掛け用の穴部
１６  突起
１７a、１７ｂ  係止穴
【図１】
2016059539.tif 000003
【図２】
2016059539.tif 000004
【図３】
2016059539.tif 000005
【図４】
2016059539.tif 000006
【図５】
2016059539.tif 000007
【図６】
2016059539.tif 000008
【図７】
2016059539.tif 000009